(57)【要約】【課題】大きな荷重に耐えることができ、錆びず、容易に設置および撤去できるロープ式補修足場および浮体式補修足場を提供すること。【解決手段】桟橋１の橋軸直交方向に、メインロープ１３ａを、各支持杭９に順次巻きつけて固定しつつ、支持杭９間に配置された鞘管２１に通して架設する。次に、クロスロープ取付け金具２５を有するクロスロープ取付けバンド２３を、各支持杭９に固定されたメインロープ１３ａの上方に巻きつけて固定する。そして、対角に位置する支持杭９間に架設するクロスロープ１３ｃを、クロスロープ取付板２２にＸ字状に取り付ける。その後、クロスロープ１３ｃ、桟橋１の橋軸方向に架設するクロスロープ１３ｂを、クロスロープ取付け金具２５に引っ掛けて支持杭９に固定したクロスロープ取付けバンド２３に連結する。【選択図】図１
2008106569.tif 000002
【特許請求の範囲】
【請求項１】
複数の支持杭を有する構造物の補修用足場であって、
隣接する支持杭間に架設され、前記支持杭に巻きつけて固定された第１のロープと、
前記支持杭の、前記第１のロープの上方に巻きつけて固定された取付けバンドと、
対角に位置する支持杭間に架設され、前記取付けバンドに連結された第２のロープと、
を具備することを特徴とするロープ式補修足場。
【請求項２】
前記第１のロープが、前記支持杭に少なくとも２重に巻きつけられることを特徴とする請求項１記載のロープ式補修足場。
【請求項３】
前記取付けバンドに取付け具が設けられ、前記第２のロープが前記取付け具を用いて前記取付けバンドに連結されることを特徴とする請求項１記載のロープ式補修足場。
【請求項４】
前記隣接する支持杭間に鞘管が配置され、前記第１のロープが前記鞘管に通されることを特徴とする請求項１記載のロープ式補修足場。
【請求項５】
前記第２のロープの交差部にロープ取付板が設けられ、前記第２のロープが前記ロープ取付板に連結されることを特徴とする請求項１記載のロープ式補修足場。
【請求項６】
複数の支持杭を有する構造物の補修用足場であって、
隣接する支持杭間に配置可能な大きさの浮体と、
前記浮体と前記支持杭との間に設けられた第１の伸縮式ストッパと、
前記浮体上に設けられた昇降式足場と、
前記昇降式足場と前記支持杭との間に設けられた第２の伸縮式ストッパと、
前記昇降式足場の外周方向に張出可能な張出足場と、
を具備することを特徴とする浮体式補修足場。
【請求項７】
前記昇降式足場が、伸縮式脚部と作業台とからなることを特徴とする請求項６記載の浮体式補修足場。
【発明の詳細な説明】
【技術分野】
【０００１】
本発明は、ロープ式補修足場および浮体式補修足場に関するものである。
【背景技術】
【０００２】
従来、橋梁や桟橋などの構造物を補修する際には、仮設足場を組み立てて作業を行ってきた。仮設足場を組み立てるには、支持柱に溶接したブラケットを用いたり、桁や梁、床版等から吊下げた吊り支持具を用いたりして支持柱間にパイプ等を架設し、足場板を敷設する方法があった。また、橋脚間にワイヤを張り渡して縦支持材とし、縦支持材と交差する方向に足場板を敷設する方法（例えば、特許文献１参照）や、支持柱の側面にＰＣストランド定着金物を設置し、支持柱間に緊張力を導入したＰＣストランドを張設して足場板を敷設する方法（例えば、特許文献２参照）があった。
【０００３】
【特許文献１】特開昭６０−１７５６０８号公報
【特許文献２】特開平１１−１０７２１９号公報
【発明の開示】
【発明が解決しようとする課題】
【０００４】
しかしながら、支持柱にブラケットを溶接する方法では、支持柱に用いられる鋼管の表面の防食塗装が溶接により傷つき、補修工事期間中に錆が進んでしまう場合があった。この場合、補修工事終了後に鋼管杭に防食塗装を施す補修工事が必要であった。床版に孔をあけて吊り支持具を吊る足場形式は、床版自体を損傷させるため、補修工事終了後に孔埋めの手間がかかった。
【０００５】
ブラケットや定着金物を用いる方法では、取付作業や撤去作業が海上あるいは海中作業となるため、作業に多大な労力を要するだけでなく、各作業が気象・海上条件に左右されやすかった。また、支持柱の径やスパン、斜杭などによって、様々な治具を用意する必要があった。さらに、従来の方法では、足場にパイプやＰＣストランド等の鋼材を用いるため、長期に渡る補修期間中に、錆により足場の鋼材がボロボロとなり、足場として転用できなくなった。
【０００６】
本発明は、このような問題に鑑みてなされたもので、その目的とするところは、大きな荷重に耐えることができ、錆びず、容易に設置および撤去できるロープ式補修足場および浮体式補修足場を提供することにある。
【課題を解決するための手段】
【０００７】
前述した目的を達成するための第１の発明は、複数の支持杭を有する構造物の補修用足場であって、隣接する支持杭間に架設され、前記支持杭に巻きつけて固定された第１のロープと、前記支持杭の、前記第１のロープの上方に巻きつけて固定された取付けバンドと、対角に位置する支持杭間に架設され、前記取付けバンドに連結された第２のロープと、を具備することを特徴とするロープ式補修足場である。
【０００８】
第１のロープは、支持杭に少なくとも２重に巻きつけられる。巻き数は、足場板等の荷重を支えられるように決定される。第１のロープの上方に巻きつけられた取付けバンドには取付け具が設けられ、第２のロープは、取付け具を用いて取付けバンドに連結される。
【０００９】
第１のロープの中央付近でのたわみが大きく、足場として不具合になる場合には、隣接する支持杭間に剛性の高い鞘管を配置し、鞘管に第１のロープを通してたわみを防止する。第２のロープの交差部には、ロープ取付板が設けられ、第２のロープはロープ取付板に連結される。
【００１０】
第１のロープ、第２のロープ、取付けバンドは、ポリエステル製などの、水に浮かび、錆びず、鋼管に巻きつけやすい材質のもの、あるいは、ワイヤーロープなどの、強度が高く鋼管に巻き付けやすい材質のものとする。
【００１１】
第１の発明では、隣接する支持杭間に架設される第１のロープを支持杭に巻きつけて固定する。また、支持杭の第１のロープの上方に取付けバンドを巻きつけて固定する。さらに、対角に位置する支持杭間に架設される第２のロープを取付けバンドに連結する。
【００１２】
第２の発明は、複数の支持杭を有する構造物の補修用足場であって、隣接する支持杭間に配置可能な大きさの浮体と、前記浮体と前記支持杭との間に設けられた第１の伸縮式ストッパと、前記浮体上に設けられた昇降式足場と、前記昇降式足場と前記支持杭との間に設けられた第２の伸縮式ストッパと、前記昇降式足場の外周方向に張出可能な張出足場と、を具備することを特徴とする浮体式補修足場である。
【００１３】
昇降式足場は、例えば、浮体の上面に設けられた伸縮式脚部と、伸縮式脚部の上端に設けられた作業台とからなる。
【００１４】
第２の発明では、隣接する支持杭間に配置可能な大きさの浮体上に昇降式足場を設け、昇降式足場の外周方向に張出可能な張出足場を設ける。また、浮体に第１の伸縮式ストッパを、昇降式足場に第２の伸縮式ストッパを設ける。第１の伸縮式ストッパは、水平方向に伸縮し、浮体を支持杭間に固定する。第２の伸縮式ストッパは、水平方向に伸縮し、昇降式足場を支持杭間に固定する。昇降式足場では、伸縮式脚部が上下方向に伸縮して、作業台の高さを調整する。
【発明の効果】
【００１５】
本発明によれば、大きな荷重に耐えることができ、錆びず、容易に設置および撤去できるロープ式補修足場および浮体式補修足場を提供できる。
【発明を実施するための最良の形態】
【００１６】
以下、図面に基づいて、本発明の第１の実施の形態を詳細に説明する。図１は、桟橋１の立面図および水平面での断面図を示す。図１の（ａ）図は、図１の（ｂ）図に示す矢印Ｂの方向から見た桟橋１の立面図である。図１の（ｂ）図は、図１の（ａ）図に示す矢印Ａ−Ａによる桟橋１の断面図である。
【００１７】
図１の（ａ）図に示すように、桟橋１は、複数の支持杭９を有する構造物である。支持杭９は、桟橋１の橋軸方向および橋軸直交方向に所定の間隔をおいて設けられ、地盤５に支持される。桟橋１では、支持杭９の上端に桁１１が架設され、桁１１の上面に床版７が設置される。
【００１８】
桟橋１を補修する際には、仮設の補修用足場１９が設置される。図１の（ｂ）図に示すように、補修用足場１９は、支持杭９の間に複数のロープ１３を架設して形成される。桟橋１周辺の水面レベルは、低いレベル３ａと高いレベル３ｂとの間を推移する。ロープ１３は、高い水面レベル３ｂよりも上方に架設される。
【００１９】
ロープ１３は、第１のロープであるメインロープ１３ａ、クロスロープ１３ｂ、第２のロープであるクロスロープ１３ｃからなる。メインロープ１３ａは、桟橋１の橋軸直交方向に隣接する支持杭９の間に架設される。クロスロープ１３ｂは、橋軸方向に隣接する支持杭９の間に架設される。クロスロープ１３ｃは、対角に位置する支持杭９の間に架設される。
【００２０】
ロープ１３は、ポリエステル製などの、水に浮かび、錆びず、所定の強度を有し、鋼管に巻きつけやすい材質、あるいは、ワイヤーロープなどの、強度が高く鋼管に巻き付けやすい材質とする。
【００２１】
図２は、桟橋１の中間に位置する支持杭９へのメインロープ１３ａの固定方法を示す図である。図２の（ａ）図は、図１の（ｂ）図に示す範囲Ｃの拡大図である。図２の（ｂ）図は、図１の（ｂ）図に示す範囲Ｃを矢印Ｂの方向から見た立面図である。なお、図２では、ロープ１３のうちメインロープ１３ａのみが図示されている。
【００２２】
図２に示すように、桟橋１の中間に位置する支持杭９では、メインロープ１３ａが支持杭９の周囲に２重に巻きつけられる。
【００２３】
図３は、桟橋１の端部に位置する支持杭９へのメインロープ１３ａの固定方法を示す図である。図３の（ａ）図は、図１の（ｂ）図に示す範囲Ｄの拡大図である。図３の（ｂ）図は、図１の（ｂ）図に示す範囲Ｄを矢印Ｂの方向から見た立面図である。なお、図３では、ロープ１３のうちメインロープ１３ａのみが図示されている。
【００２４】
図３に示すように、メインロープ１３ａの端部には、止め具１７ａを用いてリング部１５ａが形成される。桟橋１の端部に位置する支持杭９では、メインロープ１３ａが、リング部１５ａに通され、支持杭９の周囲に２重に巻きつけられる。
【００２５】
図４は、隣接する支持杭９間に架設されたメインロープ１３ａを示す図である。図４は、図１の（ｂ）図に示す範囲Ｅを矢印Ｂの方向から見た立面図である。図４に示すように、桟橋１の橋軸直交方向に隣接する支持杭９の間には、鞘管２１が配置される。メインロープ１３ａは、鞘管２１の内部に通される。鞘管２１は、剛性が高く、錆びにくい材質のものとする。メインロープ１３ａにたわみが生じると補修用足場１９に不具合が生じるが、鞘管２１に通すことにより、支持杭９間の中央付近でのメインロープ１３ａのたわみが防止される。
【００２６】
図５は、桟橋１の中間に位置する支持杭９へのクロスロープ１３ｂ、クロスロープ１３ｃの固定方法を示す図である。図５の（ａ）図は、図１の（ｂ）図に示す範囲Ｃの拡大図である。図５の（ｂ）図は、図１の（ｂ）図に示す範囲Ｃを矢印Ｂの方向から見た立面図である。なお、図５の（ａ）図では、メインロープ１３ａの図示は省略している。
【００２７】
図５に示すように、桟橋１の中間に位置する支持杭９では、メインロープ１３ａの上方にクロスロープ取付けバンド２３が巻きつけられる。クロスロープ取付けバンド２３は、支持杭９の周囲に２重に巻きつけられ、端部が止め具２７で固定される。桟橋１の中間に位置する支持杭９に巻きつけられたクロスロープ取付けバンド２３には、６ヶ所にクロスロープ取付け金具２５が取り付けられる。
【００２８】
橋軸方向に隣接する支持杭９の間に架設されるクロスロープ１３ｂの端部には、止め具１７ｂを用いてリング部１５ｂが形成される。クロスロープ１３ｂは、リング部１５ｂをクロスロープ取付け金具２５に引っ掛けることにより、クロスロープ取付けバンド２３に連結される。
【００２９】
対角に位置する支持杭９の間に架設されるクロスロープ１３ｃの端部には、止め具１７ｃを用いてリング部１５ｃが形成される。クロスロープ１３ｃは、リング部１５ｃをクロスロープ取付け金具２５に引っ掛けることにより、クロスロープ取付けバンド２３に連結される。
【００３０】
図６は、桟橋１の端部に位置する支持杭９へのクロスロープ１３ｂ、クロスロープ１３ｃの固定方法を示す図である。図６の（ａ）図は、図１の（ｂ）図に示す範囲Ｄの拡大図である。図６の（ｂ）図は、図１の（ｂ）図に示す範囲Ｄを矢印Ｂの方向から見た立面図である。なお、図６の（ａ）図では、メインロープ１３ａの図示は省略している。
【００３１】
図６に示すように、桟橋１の端部に位置する支持杭９でも、桟橋１の中間に位置する支持杭９と同様にして、メインロープ１３ａの上方にクロスロープ取付けバンド２３が巻きつけられる。クロスロープ取付けバンド２３は、支持杭９の周囲に２重に巻きつけられ、端部が止め具２７で固定される。桟橋１の端部に位置する支持杭９に巻きつけられたクロスロープ取付けバンド２３には、４ヶ所にクロスロープ取付け金具２５が取り付けられる。
【００３２】
桟橋１の端部に位置する支持杭９でも、桟橋１の中央に位置する支持杭９と同様に、橋軸方向に隣接する支持杭９の間に架設されるクロスロープ１３ｂが、リング部１５ｂをクロスロープ取付け金具２５に引っ掛けることにより、クロスロープ取付けバンド２３に連結される。
【００３３】
また、対角に位置する支持杭９の間に架設されるクロスロープ１３ｃが、リング部１５ｃをクロスロープ取付け金具２５に引っ掛けることにより、クロスロープ取付けバンド２３に連結される。
【００３４】
図７は、クロスロープ取付板２２周辺の平面図を示す。図７は、図１の（ｂ）図に示す範囲Ｆの拡大図である。図７に示すように、対角に位置する支持杭９の間に架設されるクロスロープ１３ｃの交差部には、クロスロープ取付板２２が配置される。クロスロープ１３ｃは、止め具１７ｃを用いて端部に形成されたリング部１５ｃがクロスロープ取付板２２に引っ掛けられる。
【００３５】
図１に示すような補修用足場１９を設置するには、まず、メインロープ１３ａを、図２および図３に示すように各支持杭９に順次巻きつけて固定しつつ、図４に示すように支持杭９間に配置された鞘管２１に通して架設する。桟橋１の端部の支持杭９では、メインロープ１３ａを、端部のリング部１５ａに通して引っ張ることにより、支持杭９の周囲に締め付ける。なお、メインロープ１３ａは、１本ものとするのが望ましい。
【００３６】
次に、図５および図６に示すように、クロスロープ取付け金具２５を有するクロスロープ取付けバンド２３を、各支持杭９に固定されたメインロープ１３ａの上方に巻きつけて固定する。メインロープ１３ａは、クロスロープ取付けバンド２３が支持杭９表面で下方にずれることを防止する。
【００３７】
クロスロープ取付けバンド２３の支持杭９への固定と前後して、図７に示すように、クロスロープ取付板２２にリング部１５ｃを引っ掛けて、クロスロープ１３ｃをＸ字状に取り付ける。クロスロープ取付板２２に取付けたクロスロープ１３ｃは、あらかじめ長めに用意しておく。
【００３８】
その後、図５および図６に示すように、クロスロープ取付け金具２５を用いて、クロスロープ１３ｂ、クロスロープ１３ｃをクロスロープ取付けバンド２３に連結する。この時、クロスロープ１３ｂのリング部１５ｂ、クロスロープ１３ｃのリング部１５ｃをクロスロープ取付け金具２５に引っ掛けた後、チェーンブロックのようなレバーを用いて引っ張り、張力を所定の値となるように調整する。なお、クロスロープ取付板２２の部分では、ロープの長さや張力の調整は行わない。
【００３９】
ロープ１３を架設した後、メインロープ１３ａ間に足場板（図示せず）を所定の離隔をもって掛け渡す。そして、ロープ１３と足場板（図示せず）とを、必要な箇所において結線する。メインロープ１３ａは、補修用足場１９において、ロープ１３全体の揺れを抑制する通し桁のような機能を有する。
【００４０】
なお、ロープ１３は、鉛直荷重として、足場板や補修作業の作業者の荷重に加え、補修の際に削り落とされる劣化コンクリートなどが足場板の表面にある程度溜まることを許容できる張力で引張る。
【００４１】
このように、第１の実施の形態では、ロープ１３を橋軸方向、橋軸直交方向、斜方向に架設するが、このとき、桟橋１の構築部材（床版７、支持杭９等）を加工して特別な治具を取り付ける必要がない。そのため、補修用足場１９は、桟橋１を傷つけることなく、容易に設置および撤去できる。
【００４２】
ロープ１３はポリエステル製等であるため、支持杭９に巻きつけて固定しても支持杭９の防食塗装を傷つけない。また、海上に長時間露出しても錆びず、補修工事終了後に他の現場で再利用できるため経済的である。
【００４３】
なお、図２、図３では、メインロープ１３ａを支持杭９に２重に巻きつけたが、メインロープ１３ａの巻き数はこれに限らない。足場板および点検のための上載荷重を支えられる鉛直荷重は巻き数に比例して増大するので、補修用足場１９では、必要な荷重を支えられるようにメインロープ１３ａの巻き数を設定する。
【００４４】
また、ロープ１３には、ワイヤーロープなどを用いてもよい。その場合、ロープ１３と支持杭９の表面との間にゴム等のあて物をするのが望ましい。あて物をすることにより、支持杭９の防食塗装を傷つけずに鉛直方向の滑動抵抗を増大させることができる。さらに、支持杭９間の距離が長い場合には、床版７から吊り具を用いてロープ１３を吊ってもよい。
【００４５】
次に、第２の実施の形態について説明する。図８は、桟橋１の立面図および水平面での断面図を示す。図８の（ａ）図は、図８の（ｂ）図に示す矢印Ｉの方向から見た桟橋１の立面図である。図８の（ｂ）図は、図８の（ａ）図に示す矢印Ｇ−Ｇによる桟橋１の断面図である。
【００４６】
図８の（ａ）図に示すように、桟橋１は、複数の支持杭９を有する構造物である。支持杭９は、桟橋１の橋軸方向および橋軸直交方向に所定の間隔をおいて設けられ、地盤５に支持される。桟橋１では、支持杭９の上端に桁１１が架設され、桁１１の上面に床版７が設置される。
【００４７】
図９は、補修用足場２９の立面図を示す。図９は、図８の（ａ）図に示す範囲Ｈの拡大図である。図１０は、補修用足場２９の平面図を示す。図１０は、図８の（ｂ）図に示す範囲Ｊの拡大図である。
【００４８】
桟橋１を補修する際には、仮設の補修用足場２９が設置される。図８から図１０に示すように、補修用足場２９は、浮体であるセミサブ式ポンツーン３１、第１の伸縮式ストッパ３７、昇降式足場３３、第２の伸縮式ストッパ３９、張出足場３５等からなる。
【００４９】
セミサブ式ポンツーン３１は、橋軸直交方向に隣接する支持杭９間に配置可能な寸法とする。すなわち、セミサブ式ポンツーン３１の橋軸直交方向の幅は、橋軸直交方向に隣接する支持杭９の設置間隔よりも狭いものとする。また、セミサブ式ポンツーン３１の橋軸方向の長さは、橋軸方向に隣接する支持杭９の設置間隔より長いものとする。
【００５０】
伸縮式ストッパ３７は、セミサブ式ポンツーン３１の支持杭９と対向する側面４５と支持杭９との間に設けられる。伸縮式ストッパ３７は、水平方向に伸縮し、セミサブ式ポンツーン３１を支持杭９間に固定する。伸縮式ストッパ３７の端部は、支持杭９に押し付けても支持杭９の表面の防食塗装を傷つけないような材質とする。
【００５１】
昇降式足場３３は、セミサブ式ポンツーン３１上に設けられる。昇降式足場３３は、セミサブ式ポンツーン３１の上面に設けられた複数の伸縮式脚部４１と、伸縮式脚部４１の上端に設けられた作業台４３とからなる。昇降式足場３３では、伸縮式脚部４１が上下方向に伸縮して、作業台４３の高さを調整する。
【００５２】
作業台４３は、橋軸直交方向に隣接する支持杭９間に配置可能な寸法とする。すなわち、作業台４３の橋軸直交方向の幅は、橋軸直交方向に隣接する支持杭９の設置間隔よりも狭いものとする。また、作業台４３の橋軸方向の長さは、橋軸方向に隣接する支持杭９の設置間隔より長いものとする。
【００５３】
伸縮式ストッパ３９は、昇降式足場３３の作業台４３の支持杭９と対向する側面４７と支持杭９との間に設けられる。伸縮式ストッパ３９は、水平方向に伸縮し、昇降式足場３３の作業台４３を支持杭９間に固定する。伸縮式ストッパ３９の端部は、支持杭９に押し付けても支持杭９の表面の防食塗装を傷つけないような材質とする。
【００５４】
張出足場３５は、昇降式足場３３の作業台４３の側面４７に設けられる。張出足場３５の橋軸方向の長さは、橋軸方向に隣接する支持杭９の設置間隔よりも短いものとする。張出足場３５は、図９の点線部分４９に示すように回動式であり、作業台４３から橋軸直交方向に張出可能である。張出足場３５は、使用時には作業台４３から張出し、使用しない時には作業台４３上に配置される。
【００５５】
補修用足場２９を設置するには、まず、伸縮式ストッパ３７を用いてセミサブ式ポンツーン３１を支持杭９に固定する。桟橋１周辺の水面レベルは、低いレベル３ａと高いレベル３ｂとの間で推移するが、セミサブ式ポンツーン３１は、例えば、低い水面レベル３ａに合わせて固定される。
【００５６】
次に、伸縮式脚部４１を用いて昇降式足場３３を適切な高さに調整し、伸縮式ストッパ３９を用いて昇降式足場３３の作業台４３を適切な高さで支持杭９に固定する。
【００５７】
補修用足場２９は、桟橋１に第１の実施の形態の補修用足場１９を設置する際や、桟橋１の補修作業をする際に用いられる。
【００５８】
このように、補修用足場２９は、セミサブ式ポンツーン３１上に昇降式足場３３を設けたものであり、伸縮式ストッパ３７および伸縮式ストッパ３９を用いて支持杭９に固定することにより、桟橋１に容易に設置および撤去できる。補修用足場２９は、補修工事終了後に他の現場で再利用できるため経済的である。
【００５９】
なお、第２の実施の形態では、張出足場３５を回動式としたが、スライド式などの他の方式の張出足場を設けてもよい。また、補修用足場２９の配置は、図８の（ｂ）図に示すものに限らず、９０度回転させた状態で配置してもよい。この場合、補修用足場２９では、セミサブ式ポンツーン３１および昇降式足場３３の作業台４３の寸法を、橋軸方向に隣接する支持杭９間に配置できる寸法とする。
【００６０】
第１、第２の実施の形態では、桟橋１に補修用足場１９、補修用足場２９を設置したが、補修用足場１９、補修用足場２９は、支持杭を有する他の構造物にも設置できる。
【００６１】
以上、添付図面を参照しながら本発明にかかる補修用足場の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００６２】
【図１】桟橋１の立面図および水平面での断面図
【図２】桟橋１の中間に位置する支持杭９へのメインロープ１３ａの固定方法を示す図
【図３】桟橋１の端部に位置する支持杭９へのメインロープ１３ａの固定方法を示す図
【図４】隣接する支持杭９間に架設されたメインロープ１３ａを示す図
【図５】桟橋１の中間に位置する支持杭９へのクロスロープ１３ｂ、クロスロープ１３ｃの固定方法を示す図
【図６】桟橋１の端部に位置する支持杭９へのクロスロープ１３ｂ、クロスロープ１３ｃの固定方法を示す図
【図７】クロスロープ取付板２２周辺の平面図
【図８】桟橋１の立面図および水平面での断面図
【図９】補修用足場２９の立面図
【図１０】補修用足場２９の平面図
【符号の説明】
【００６３】
１………桟橋
９………支持杭
１３………ロープ
１３ａ………メインロープ
１３ｂ、１３ｃ………クロスロープ
１９………補修用足場
２１………鞘管
２３………クロスロープ取付けバンド
２５………クロスロープ取付け金具
２９………補修用足場
３１………セミサブ式ポンツーン
３３………昇降式足場
３５………張出足場
３７、３９………伸縮式ストッパ
４１………伸縮式脚部
４３………作業台
【図１】
2008106569.tif 000003
【図２】
2008106569.tif 000004
【図３】
2008106569.tif 000005
【図４】
2008106569.tif 000006
【図５】
2008106569.tif 000007
【図６】
2008106569.tif 000008
【図７】
2008106569.tif 000009
【図８】
2008106569.tif 000010
【図９】
2008106569.tif 000011
【図１０】
2008106569.tif 000012